【手続補正書】
【提出日】平成24年2月27日(2012.2.27)
【手続補正１】
【補正対象書類名】明細書
【補正対象項目名】００１２
【補正方法】変更
【補正の内容】
【００１２】
請求項１の発明では、移動用バー（１）として固定柵部（４）側に固着された嵌合受け部材（９）と回動柵部（６）側に固着された嵌合部材（１２）にそれぞれ設けられた凸部と凹部の嵌合により、所定の角度で段階的に回動柵部（６）を保持できる変位機構（５）を備えています。そして、この変位機構（５）の嵌合状態を保持するためのロック機構（２）を嵌合受け部材（９）と嵌合部材（１２）および解除ロッド（１５）で形成される通孔内を解除ボス（１７）の上下移動によりこの通孔内にある球状部材（１３）の移動を制限することで回動柵部（６）の上下移動をロックできるように構成することによって、意図しない状況での変位機構（５）の作動を防止する効果があります。
請求項２の発明では、ロック機構（２）のロック解除の方法を下方向きにロック解除ボタン（１６）を押し下げることとし、変位機構（５）の嵌合状態を解除するために回動柵部（６）を上方に持ち上げるように構成しているので、意図しない状況でロック解除ボタン（１６）を押し下げても逆方向の力が回動柵部（６）に掛からなければ変位機構（５）の嵌合状態が維持されるので、安全に使用できるという効果があります。
請求項３の発明では、カバー部材（１１）内にロック解除ボタン（１６）を押し込んだ状態で、ロック機構（２）のロック状態が解除されるように構成されているので、意図しない状況でのロック機構（２）の誤作動を防止できるものとなっています。
請求項４の発明では、変位機構（５）を構成する凸部（９ａ，９ｂ，１２ａ，１２ｂ）と凹部（９ｃ，１２ｃ）、嵌合受け部材（９９とロックプレート（１８）との間隔を設定することで、部品数を増やすことなく回動柵部（６）の回動範囲を制限することができ、安価に構成することができます。
【手続補正２】
【補正対象書類名】明細書
【補正対象項目名】００１９
【補正方法】変更
【補正の内容】
【００１９】
これは、回動柵部６を水平回動させるときに嵌合部材１２の凸部１２ａが嵌合受け部材９の凸部９ａの側面に接触することで一定角度以上の回動操作ができないようにするための構成です（図７（ｃ）参照）。すなわち、本実施例では、固定柵部４に対して回動柵部６が同一平面上に位置する状態と、固定柵部４に対して回動柵部６が直交する状態とに変位するよう構成したもので、回動範囲を１８０度としています。
しかし、上述したように嵌合受け部材９と嵌合部材１２にそれぞれ凸部と凹部を設け、回動柵部６を上方に持ち上げることでそれぞれの嵌合が解除され、回動柵部６を下方に下げるとそれぞれが嵌合して一定角度で保持されるように国政されたものであれば良く、凸部と凹部の形状や数を本実施例に限定するものではありません。
例えば、嵌合部材には凸部が一ヶ所のみ設けられているものであっても良い。また、凸部と凹部の位相角度を小さくし、さらに細かい角度で回動柵部６を固定できるように構成したものであっても良い。
【手続補正３】
【補正対象書類名】明細書
【補正対象項目名】００２０
【補正方法】変更
【補正の内容】
【００２０】
上述した変位機構５には、嵌合状態が解除されないようにロック機構２が並設されています。このロック機構２は、球状部材１３の位置によって回動柵部６の上下スライドを規制するものであり、次のように構成しています。
まず、嵌合受け部材９の内部は、上側が小径通孔９ｄで、下側が大径通孔９ｅとしており、この小径通孔９ｄと大径通孔９ｅをテーパー状の通孔（テーパー部９ｆ）で連続するように通孔を設けています。
一方、嵌合部材１２の上端部には大径通孔１２ｄが設けられており、下端内部には筒状のガイドボス１４が該嵌合部材１２から突出した状態で固着されています。このガイドボス１４の突出部には軸線に直交する方向にガイド孔１４ａ，１４ａが穿設されています。
この嵌合受け部材９と嵌合部材１２の通孔内には解除ロッド１５を挿通しています。この解除ロッド１５の上端部にはロック解除ボタン１６が止着されています。また、解除ロッド１５の下方には解除ボス１７が止着されています。この解除ボス１７の上端はテーパー部１７ａとしています。
なお、この解除ボス１７の外径は前記ガイドボス１４の内径とほぼ等しいものとしています。また、本実施例では図８に示すように嵌合受け部材９の大径通孔９ｅとガイドボス１４の外径とのすき間Ｓ１と、ガイドボス１４の厚さＳ２と、ガイドボス１４の内径と解除ロッド１５とのすき間Ｓ３はほぼ等しく（Ｓ１≒Ｓ２≒Ｓ３）なるように構成し、前記ガイドボス１４のガイド孔１４ａ，１４ａにはめ込まれる球状部材１３，１３の半径がこれらのすき間とほぼ等しくなるものを用いています。
【手続補正４】
【補正対象書類名】明細書
【補正対象項目名】００２２
【補正方法】変更
【補正の内容】
【００２２】
このように構成されたロック機構２は、次のように作用します。
まず、図１に示しているのはロック状態を示したものです。このとき、球状部材１３，１３は解除ボス１７がガイド孔１４ａの内径側を塞いだ状態となっており、球状部材１３，１３がガイド孔１４ａ，１４ａと嵌合受け部材９の大径通孔９ｅ及びテーパー部９ｆに位置した状態となっています。この状態では回動柵部６を上方に引き上げようとしても球状部材１３，１３がガイドボス１４を拘束した状態となっており、情報に引き上げることができないようになっています。したがって、この状態では回動柵部６が水平回動できないので、回動柵部６を手摺として安全に使用できます。
【手続補正５】
【補正対象書類名】明細書
【補正対象項目名】００２３
【補正方法】変更
【補正の内容】
【００２３】
次に、図２はロックを解除した状態を示したものです。これは、ロック解除ボタン１６をスプリング２０に抗して下方に押し下げた状態であり、このとき、ロック解除ボタン１６と一体となっている解除ロッド１５と解除ボス１７も下方に押し下げられ、球状部材１３，１３が嵌合受け部材９の大径通孔９ｅから解除ロッド１５側に移動自在な状態となります。
この状態にすると回動柵部６を上方に引き上げることができるようになり、回動柵部６を引き上げると球状部材１３，１３は嵌合受け部材９のテーパー部９ｆに案内され、解除ロッド１５側に移動します。そのまま、回動柵部６を上方に引き上げると図３に示すように球状部材１３，１３が嵌合受け部材９の小径通孔９ｄとガイド孔１４ａ，１４ａおよび解除ロッド１５に囲まれた空間内に位置するとともに、ロックプレート１８と嵌合受け部材９の底面が接触する状態まで引き上げられます。この状態では、嵌合受け部材９と嵌合部材１２との嵌合状態が解除されており、回動柵部６が回動自在な状態となります。
なお、本実施例では、嵌合部材１２の凸部１２ａが嵌合受け部材９の凸部９ａの側面に接触するよう構成しているので、固定柵部４に対して同一平面を形成する状態と、直交する状態の３ヵ所で固定できるようになっています。
所望の角度となるように回動柵部６を水平回動させた後、回動柵部６を下ろすと、嵌合受け部材９と嵌合部材１２とが嵌合した状態となり、水平回動が拘束された状態となります。
このとき、スプリング２０によって解除ロッド１５が上方に引き上げられるので、解除ボス１７のテーパー部１７ａが球状部材１３，１３を外側に押し出し、回動柵部６の上方への引き上げ操作を自動的にロックする図１に示した状態となります。
【手続補正６】
【補正対象書類名】明細書
【補正対象項目名】００２４
【補正方法】変更
【補正の内容】
【００２４】
上述のように構成されたロック機構２では、ロック解除ボタン１６の操作によって解除操作ができるので、衣服などを引掛け、ロックが解除されてしまうという恐れがありません。
そして、このロック機構２のロック力は機械的に発生するように構成されているので、操作する人に関わらず一定のロック力となり、安全に使用できます。
また、ロック解除ボタン１６のロック解除の操作方向が下方向きであるのに対して、変位機構５の嵌合状態を解く方向が上方であることによって、誤作動を防止でき、意図しない回動柵部６の水平回動が行われないように構成しています。
さらに、ロック解除ボタン１６がカバー部材１１からあまり突出しないように図３に示すようにカバー部材１１に凹状切欠き部１１ｂを設けておくことで、ロック解除ボタン１６に異物が当たり、押し下げようとしても凹状切欠き部１１ｂの肩部１１ｃまでの押し下げで止まり、ロック解除されるまで下げられる恐れを少なくすることができ、誤操作を防止することも可能となります。
また、図１に示すようにロック解除ボタン１６の近傍に把持部１１ａを設けておけば、この把持部１１ａを把持した状態でロック解除ボタン１６の操作ができるとともに、回動柵部６の引き上げ操作もでき、片手での操作も可能となります。
このように、本発明におけるロック機構２は、操作が容易であるとともに、軽い操作力でロックを解除することができるだけでなく、意図しない状況でのロック解除がなされないよう構成されており、安全に使用できるものとなっております。